(57)【要約】【課題】マニュアルステイプルモードを実現するとともに、マニュアルステイプルモードと、プリントモードとを好適に切り替える仕組みを提供する。【解決手段】画像形成装置は、受け付けたユーザ入力に従って、通常の画像形成を実行する第１モードから画像形成を停止して後処理手段のみが動作可能な第２モードに移行するとともに第１モードへ復帰する際のパターンを決定し、決定されたパターンが第１パターンである場合には、後処理手段による１回の処理が終了すると前記第１モードへ復帰し、決定されたパターンが第２パターンである場合には、所定のユーザ入力を受け付けると第１モードへ復帰するように制御する。【選択図】図７
2014115425.tif 000002
【特許請求の範囲】
【請求項１】
記録材に画像を形成する画像形成手段と、記録材に後処理を実行する後処理手段と、を備え、通常の画像形成を実行する第１モードと、前記画像形成手段を停止して前記後処理手段のみが動作可能な第２モードとを有する画像形成装置であって、
ユーザ入力を受け付ける受付手段と、
前記受付手段によって受け付けたユーザ入力に従って、前記第１モードから前記第２モードに移行するとともに該第１モードへ復帰する際のパターンを決定する移行手段と、
前記移行手段によって決定されたパターンが第１パターンである場合には、前記後処理手段による１回の処理が終了すると前記第１モードへ復帰し、前記移行手段によって決定されたパターンが第２パターンである場合には、前記受付手段によって所定のユーザ入力を受け付けると前記第１モードへ復帰するように制御する制御手段と
を備えることを特徴とする画像形成装置。
【請求項２】
前記移行手段は、
前記ユーザ入力として、前記後処理手段を使用するためのボタンが押下されると、前記第１モードから前記第２モードに移行し、
前記ボタンの押下が短押しであった場合は、前記第１モードへ復帰する際のパターンを前記第１パターンに決定し、
前記ボタンの押下が長押しであった場合は、前記第１モードへ復帰する際のパターンを前記第２パターンに決定することを特徴とする請求項１に記載の画像形成装置。
【請求項３】
前記所定のユーザ入力は、前記ボタンの短押しであることを特徴とする請求項２に記載の画像形成装置。
【請求項４】
前記画像形成装置の前に存在する人を感知するセンサをさらに備え、
前記制御手段は、前記第２モードに移行するとともに、前記第２パターンが決定されている場合に、前記センサによって感知している人が感知できなくなると、前記第１モードへ復帰するように制御することを特徴とする請求項１乃至３の何れか１項に記載の画像形成装置。
【請求項５】
前記後処理手段の近傍に設けられ、該後処理手段に挿入された記録材を検知する検知手段をさらに備え、
前記制御手段は、
前記検知手段によって前記後処理手段への記録材の挿入が検知された後に、前記後処理手段の処理が終了すると、該後処理手段による１回の処理が終了したと判断することを特徴とする請求項１乃至４の何れか１項に記載の画像形成装置。
【請求項６】
前記制御手段は、
前記第２モードへ移行している間は、前記画像形成装置の表示部に画像形成が現在実行できないことを示す内容を表示することを特徴とする請求項１乃至５の何れか１項に記載の画像形成装置。
【請求項７】
前記後処理手段は、複数の記録材のステイプルを実行することを特徴とする請求項１乃至６の何れか１項に記載の画像形成装置。
【請求項８】
記録材に画像を形成する画像形成手段と、記録材に後処理を実行する後処理手段と、を備え、通常の画像形成を実行する第１モードと、前記画像形成手段を停止して前記後処理手段のみが動作可能な第２モードとを有する画像形成装置の制御方法であって、
受付手段が、ユーザ入力を受け付ける受付ステップと、
移行手段が、前記受付ステップにおいて受け付けたユーザ入力に従って、前記第１モードから前記第２モードに移行するとともに該第１モードへ復帰する際のパターンを決定する移行ステップと、
制御手段が、前記移行ステップにおいて決定されたパターンが第１パターンである場合には、前記後処理手段による１回の処理が終了すると前記第１モードへ復帰し、前記移行ステップにおいて決定されたパターンが第２パターンである場合には、前記受付ステップにおいて所定のユーザ入力を受け付けると前記第１モードへ復帰するように制御する制御ステップと
を実行することを特徴とする画像形成装置の制御方法。
【請求項９】
請求項８に記載された画像形成装置の制御方法における各ステップを、コンピュータに実行させるためのプログラム。
【発明の詳細な説明】
【技術分野】
【０００１】
本発明は、画像形成装置、その制御方法、及びプログラムに関するものである。
【背景技術】
【０００２】
従来、ステイプル等の後処理装置を備える画像形成装置としては、画像形成装置自体が画像形成した記録紙を後処理装置へ１枚ずつ搬送し、後処理装置上のトレイに複数枚の記録紙を積載してからステイプルする形態が一般的である。
【０００３】
また、特許文献１には、ユーザがフィニッシャの処理トレイに印刷済みの記録紙の束を挿入し、画像形成装置が処理トレイに挿入された紙束に対して、ステイプル処理を行う画像形成装置が提案されている。このような機能をマニュアルステイプルと称する。このマニュアルステイプルを実行するタイミングを、ステイプルボタンを押下された時点ではなく、紙束検知センサによって、紙束を検知した時点でステイプルする形態もある。例えば、特許文献２では、マニュアルステイプルを実行するタイミングを紙束検知センサによって検知したタイミングとボタン押下のタイミングの２つを用意し、それらを切り替え可能な画像形成装置が提案されている。
【先行技術文献】
【特許文献】
【０００４】
【特許文献１】特開２００５−２０６２９８号公報
【特許文献２】特開２００５−１０７３２２号公報
【発明の概要】
【発明が解決しようとする課題】
【０００５】
しかしながら、上記従来技術には以下に記載する問題がある。例えば、マニュアルステイプルは、後処理装置を占有することになるため、マニュアルステイプルモード中に画像形成装置が印刷した記録紙が後処理装置に搬送されると、マニュアルステイプルを実施する紙束と衝突しジャムとなる。そのためマニュアルステイプル中には画像形成装置による印刷は行わない、或いは、画像形成装置による印刷中にはマニュアルステイプルは実施しないといった排他処理が必要である。
【０００６】
しかし、マニュアルステイプルモード中には印刷を行わないとした場合、マニュアルステイプルモードの状態が維持されると、いつまでもプリントモードに遷移せず、印刷が行われない可能性がある。特に、オフィスにある画像形成装置は、複数人が１つの画像形成装置を共有する。そのため、マニュアルステイプルを実施するユーザと、プリントしたいユーザが異なる可能性がある。マニュアルステイプルモードが維持されてしまうと、他のユーザはいつまで経ってもプリントできない問題が発生する。例えば、ＰＤＬプリントは画像形成装置から離れた場所からジョブ投入を行う可能性が高い。ユーザはジョブ投入してからプリントが完了した時間を見計らい、画像形装置の前に行く。しかし、マニュアルステイプルモードによってプリントされていない不都合が生じる可能性がある。
【０００７】
本発明は、上述の問題に鑑みて行われたものであり、マニュアルステイプルモードを実現するとともに、マニュアルステイプルモードと、プリントモードとを好適に切り替える仕組みを提供することを目的とする。
【課題を解決するための手段】
【０００８】
本発明は、記録材に画像を形成する画像形成手段と、記録材に後処理を実行する後処理手段と、を備え、通常の画像形成を実行する第１モードと、前記画像形成手段を停止して前記後処理手段のみが動作可能な第２モードとを有する画像形成装置であって、ユーザ入力を受け付ける受付手段と、前記受付手段によって受け付けたユーザ入力に従って、前記第１モードから前記第２モードに移行するとともに該第１モードへ復帰する際のパターンを決定する移行手段と、前記移行手段によって決定されたパターンが第１パターンである場合には、前記後処理手段による１回の処理が終了すると前記第１モードへ復帰し、前記移行手段によって決定されたパターンが第２パターンである場合には、前記受付手段によって所定のユーザ入力を受け付けると前記第１モードへ復帰するように制御する制御手段とを備えることを特徴とする。
【発明の効果】
【０００９】
本発明は、マニュアルステイプルモードを実現するとともに、マニュアルステイプルモードと、プリントモードとを好適に切り替える仕組みを提供できる。
【図面の簡単な説明】
【００１０】
【図１】一実施形態に係る画像形成装置の構成を示すブロック図。
【図２】一実施形態に係るリーダ部及びプリンタ部を示す断面図。
【図３】一実施形態に係る操作部を示す図。
【図４】一実施形態に係るフィニッシャユニット５００を示す図。
【図５】一実施形態に係る制御装置１１０のＲＡＭ１５０内の複数束マニュアルステイプルモードフラグを示す図。
【図６】一実施形態に係る操作部１７０に表示するマニュアルステイプル中ダイアログ６０００を示す図。
【図７】一実施形態に係る制御装置１１０の処理手順を示すフローチャート。
【発明を実施するための形態】
【００１１】
以下、本発明を実施するための形態について図面を用いて説明する。なお、以下の実施形態は特許請求の範囲に係る発明を限定するものでなく、また実施形態で説明されている特徴の組み合わせの全てが発明の解決手段に必須のものとは限らない。
【００１２】
＜画像形成装置の構成＞
以下では、図１乃至図７を参照して、本発明を実施するための最良の形態について説明する。まず、図１を参照して、本発明の一実施形態を示す画像形成装置の全体構成について説明する。
【００１３】
２００は、リーダ部（画像入力装置）であり、原稿画像を光学的に読み取り、画像データに変換する。リーダ部２００は、原稿を読み取るための機能を有するスキャナユニット２１０と、原稿用紙を搬送するための機能を有する原稿給紙ユニット（ＤＦユニット）２５０とを備える。
【００１４】
３００は、プリンタ部（画像出力装置）であり、記録紙（記録材）を搬送し、その上に画像データを可視画像として印字して装置外に排紙する。プリンタ部３００は、複数種類の記録紙カセットを有する給紙ユニット３１０と、画像データを記録紙に転写、定着させる機能を有するマーキングユニット３２０とを備える。さらに印字された記録紙を機外へ出力する機能を有する排紙ユニット３３０と、ステイプル処理、ソート処理を行うフィニッシャ部（フィニッシャユニット）５００とを備える。
【００１５】
制御装置１１０は、ＣＰＵ１２０、画像メモリ１３０、不揮発メモリ１４０、ＲＡＭ１５０、ＲＯＭ１６０、及び操作部１７０を備える。制御装置１１０は、リーダ部２００、プリンタ部３００と電気的に接続されている。そして、制御装置１１０内のＣＰＵ１２０は、リーダ部２００を制御して、原稿の画像データを画像メモリ１３０に読込み、プリンタ部３００を制御して画像メモリ１３０内の画像データを記録用紙（シート）に出力してコピー機能を提供する。
【００１６】
不揮発メモリ１４０には、各種調整値が格納される。ＲＡＭ１５０はＣＰＵ１２０のワーク領域として使用される。ＲＯＭ１６０には、ＣＰＵ１２０の制御プログラムが格納されている。操作部１７０は、液晶表示部と液晶表示部上に張り付けられたタッチパネル入力装置と、複数個のハードキーとを有する。タッチパネル又はハードキーにより入力された信号はＣＰＵ１２０に伝えられ、液晶表示部には、本画像形成装置の操作における機能表示や画像データ等が表示される。
【００１７】
＜リーダ部及びプリンタ部の構成＞
次に、図２を参照して、本実施形態におけるリーダ部２００、プリンタ部３００、及びフィニッシャ部５００について説明する。まず、リーダ部２００について説明する。
【００１８】
リーダ部２００において、原稿給紙ユニット（フィーダ）２５０は、原稿を先頭順に１枚ずつプラテンガラス２１１上へ給送し、原稿の読み取り動作が終了すると、プラテンガラス２１１上の原稿を排出トレイ２１９に排出する。原稿がプラテンガラス２１１上に搬送されると、ランプ２１２を点灯し、光学ユニット２１３の移動を開始させて、原稿を露光走査する。この時の原稿からの反射光は、ミラー２１４、２１５、２１６及びレンズ２１７によってＣＣＤイメージセンサ（以下、ＣＣＤと称する。）２１８へ導かれる。このように、走査された原稿の画像は、ＣＣＤ２１８によって読み取られる。ＣＣＤ２１８から出力される画像データは、所定の処理が施された後、制御装置１１０へ転送される。
【００１９】
次にプリンタ部３００について説明する。プリンタ部３００において、３２１はレーザドライバであり、レーザ発光部３２２を駆動し、制御装置１１０から出力された画像データに応じたレーザ光をレーザ発光部３２２に発光させる。このレーザ光は、感光ドラム３２３に照射され、感光ドラム３２３にはレーザ光に応じた潜像が形成される。この感光ドラム３２３の潜像の部分には現像器３２４によって現像剤が付着される。
【００２０】
また、プリンタ部３００は、給紙ユニット３１０として、それぞれ引き出し状の形状をしたカセット３１１、３１２、３１３、３１４を備える。それぞれ給紙カセットを引き出し、そのカセットに用紙を補給し、カセットを閉めることによって、用紙補給を行っている。プリンタ部３００は、カセット３１１、３１２、３１３、３１４のいずれかから記録紙を給紙し、転写部３２５へ搬送路３３１を介して搬送する。転写部３２５では、感光ドラム３２３に付着された現像剤を記録紙に転写する。現像剤が転写された記録紙は、搬送ベルト３２６によって、定着部３２７へ搬送される。ここで、定着部３２７の熱と圧力により現像剤が記録紙に定着される。その後、定着部３２７を通過した記録紙は、搬送路３３５、３３４を通り、画像形成装置の機外へ排出される。或いは、印字面を反転して排出する場合には、搬送路３３６、３３８まで導かれ、そこから記録紙を逆方向に搬送し、搬送路３３７、３３４を通って排出される。
【００２１】
また、両面形成（両面印刷）が設定されている場合は、定着部３２７を通過したあと、搬送路３３６からフラッパ３２９によって、搬送路３３３に記録紙を導き、その後、逆方向に搬送し、フラッパ３２９によって、搬送路３３８、再給紙搬送路３３２へ導く。再給紙搬送路３３２へ導かれた記録紙は、上述したタイミングで搬送路３３１を通り、転写部３２５へ給紙される。片面、両面形成にかかわらず、搬送路３３４より排出された記録紙はフィニッシャ部５００へ搬送される。
【００２２】
次に、フィニッシャ部（後処理手段）５００について説明する。ここでは、後処理部としてステイプル機能を有する例について説明するが、本発明はこれに限定されず、例えば、製本、糊付け、折り、パンチ等の機能を実行する後処理部であってもよい。フィニッシャ部５００へ搬送された記録紙は、まずバッファユニット５０１へ送られる。ここでは、場合に応じて搬送されてきた記録紙をバッファローラに巻きつけてバッファリングする。例えば、この下流で行われるステイプル等処理に時間がかかる場合は、このバッファユニットを利用することによって本体から搬送されてくる記録紙の搬送速度を一定に保つことができ、スループットの向上に役立たせることが可能である。そして、記録紙は、この後上流排出ローラ対５０２、下流排出ローラ対５０３で排紙口５１０を経由し排出トレイ５０７に排出される。
【００２３】
また、ステイプルモード（第２モード）の場合は、上流排出ローラ対５０２で搬送され記録紙後端がこれを抜けた直後、ローレットベルト５０４によって引き戻され、スタックトレイ５０５に排出される。そして、所定の枚数分記録紙が積載されたあと、ステイプルユニット５０６によってステイプル処理が行われた後に、下流排出ローラ対５０３により排出トレイ５０７に排出される。また、シフトソート時にはスタックトレイに積まれた用紙を左右にずらし、排出トレイ５０７に排出することによって、部ごとの切れ目を表現する。
【００２４】
通常のステイプルは、搬送路３３４より排出された記録紙をスタックトレイ５０５に積載した後にステイプルを実行する。それとは別にユーザが紙束をスタックトレイ５０５に挿入し、紙束検知センサ５２６が紙束を検知すると、スタックトレイ５０５の紙束に対してステイプルユニット５０６でステイプルするマニュアルステイプルモードがある。このマニュアルステイプルモードはフィニッシャ部５００の上部に設けられたマニュアルステイプルモードボタン５２０によって移行する。また、フィニッシャ部５００の前に人が存在するかを検知する人感センサ５３０が設けられる。例えば、人感センサ５３０は、マニュアルステイプルモードへ移行した際に、人を感知し、その後、人が感知できなくなると、マニュアルステイプルモードを通常のプリントモード（第１モード）へ移行してもよい。
【００２５】
本実施形態によれば、上記第１モードにおいては、通常のプリントを実行することができる。一方、第２モードにおいては、プリンタ部３００を停止し、フィニッシャ部５００のみが動作可能となる。このため、第２モード中は、プリントが実行できないため、第２モードを第１モードへ戻し忘れてしまうと、プリントが実行できないままとなる。そのため、このようなことを防止するために、本実施形態に係る画像形成装置は、後述する防止策を組み込む。
【００２６】
＜操作部＞
図３を参照して、図１に示す操作部１７０について説明する。６００は、ＬＣＤタッチパネルであり、主なモード設定、状況表示はここで行われる。６０１は、０〜９までの数値を入力するためのテンキーである。６０２は、ＩＤキーで、装置が部門管理されている場合に部門番号と暗証モードを入力する際に使用されるものである。
【００２７】
６０３は、設定されたモードをリセットするためのリセットキーである。６０４は、各モードについての説明画面を表示するためのガイドキーである。６０５は、ユーザモード画面に入るためのユーザモードキーである。６０６は、割り込みコピーを行うための割り込みキーである。
【００２８】
６０７は、コピー動作をスタートさせるためのスタートキーである。６０８は、実行中のコピージョブを中止させるためのストップキーである。６０９は、ソフト電源ＳＷで、押下することによりＬＣＤ６００のバックライトが消え装置は低電力状態に移行する。６１０は、節電キーで、これを押下することで節電状態に入り、再度押下することで節電状態から復帰する。
【００２９】
６１４は、ＬＣＤタッチパネルのコントラストを調整するための調整キーである。６１５はカウンタ確認キーであり、このキーを押下することでそれまでに使用したコピー枚数の集計を表示するカウント画面がＬＣＤ上に表示される。６１６は、ジョブの実行中、画像メモリへの画像蓄積中を示すＬＥＤである。６１７は、ジャム、ドアオープン等装置がエラー状態にあることを示すエラーＬＥＤである。６１８は、装置のメインスイッチがＯＮになっていることを示す電源ＬＥＤである。
【００３０】
＜マニュアルステイプルの手順＞
次に、図４を参照して、マニュアルステイプルを行う手順について説明する。図４は、フィニッシャ部５００の外観を示す。まず、ユーザは、ステイプルをしたい紙束を持ってフィニッシャ部５００の前に立つ。続いて、ユーザは、フィニッシャ部５００のマニュアルステイプルモードボタン５２０を押下（ユーザ入力）する。もし画像形成装置がプリント中の場合には、このマニュアルステイプルモードボタン５２０の押下は無視される。これはプリント中の場合には、フィニッシャ部の排紙口５１０からプリントされた紙が出力され、マニュアルステイプルの紙束と衝突するためである。
【００３１】
プリント中でない場合には、マニュアルステイプルモードに遷移し、ユーザは、マニュアルステイプルのためにフィニッシャ部５００を占有できる。マニュアルステイプルモードに遷移したフィニッシャ部５００に対して、ユーザはステイプルしたい紙束を排紙口５１０からスタックトレイ５０５へ挿入する。フィニッシャ部５００の内部には、図２に示すように、ステイプルユニット５０６の近傍に、スタックトレイ５０５上に紙束が挿入されたことを検知する紙束検知センサ５２６が存在する。その紙束検知センサ５２６が紙束を検知すると、スタックトレイ５０５上の紙束に対してステイプルユニット５０６によってステイプルを行う。
【００３２】
マニュアルステイプルモード中は、プリントができないため、マニュアルステイプルが終了するとマニュアルステイプルから通常のプリントモードへ戻る必要がある。マニュアルステイプルモードから通常のプリントモードへ戻る方法として３つのパターンがある。第１パターンは、ユーザが１つの紙束をマニュアルステイプルする（１回の処理が終了する）と、直ちにマニュアルステイプルモードから通常のプリントモードへ戻るパターンである。また、第２パターンは、ユーザが再度マニュアルステイプルモードボタン５２０を押下することによってマニュアルステイプルモードから通常のプリントモードへ戻るパターンである。そして、第３パターンは、フィニッシャ部５００にある人感センサ５３０によって、フィニッシャ部５００から人が立ち去るとマニュアルステイプルモードから通常のプリントモードへ戻るパターンである。
【００３３】
上記第１パターンと上記第２パターンを切り替えるには、マニュアルステイプルモードボタン５２０を押下方法によって切り替えてもよい。具体的には、マニュアルステイプルモードに遷移する際に、マニュアルステイプルモードボタン５２０が長く押下された場合には第２パターンとして動作し、そうでない場合には第１パターンとして動作するように切り替えてもよい。
【００３４】
次に、図５を参照して、制御装置１１０のＲＡＭ１５０に格納される情報について説明する。本発明では、上記第１パターンと上記第２パターンの何れで動作するのかをＣＰＵ１２０が判断するために、ＲＡＭ１５０上に複数束マニュアルステイプルモードフラグ８０００を用意している。この複数束マニュアルステイプルモードフラグ８０００は、マニュアルステイプルモードボタン５２０が長押しされる第２パターンではＯＮとなる。そうでない場合の第１パターンではＯＦＦとなる。
【００３５】
次に、図６を参照して、マニュアルステイプルモード中の操作部１７０の制御装置１１０による表示制御について説明する。マニュアルステイプルモードボタン５２０が押下されて、マニュアルステイプルモードに制御装置１１０が遷移した場合には、制御装置１１０は操作部１７０に対して、マニュアルステイプル中ダイアログ６０００を表示する。マニュアルステイプル中ダイアログ６０００には、マニュアルステイプル中のため、プリントが現在実行できない旨の内容が表示される。これによってユーザはマニュアルステイプルモードに遷移したことが確認でき、さらにマニュアルステイプルモード中にはプリントができないことを知ることができる。なお、これは、画像形成装置にネットワークを介して接続された外部装置の表示画面に表示してもよい。例えば、ＰＣ等にインストールされた当該画像形成装置のプリンタドライバの表示画面に表示するように制御する。
【００３６】
＜処理手順＞
次に、図７を参照して、本実施形態に係る制御装置１１０の処理手順をフローチャートを用いて説明する。以下で説明する処理は、ＣＰＵ１２０がＲＯＭ１６０、不揮発メモリ１４０等に格納された制御プログラムをＲＡＭ１５０に読み出して実行することにより実現される。
【００３７】
Ｓ７０１において、ＣＰＵ１２０は、プリントジョブが存在するか否かを判定する。プリントジョブが存在する場合にはＳ７０２へ進み、プリントジョブが存在しない場合にはＳ７０３へ進む。Ｓ７０２において、ＣＰＵ１２０は、Ｓ７０１で検知したプリントジョブをプリントする。そしてプリント処理が完了すると、再度Ｓ７０１に遷移する。つまり、プリント中にマニュアルステイプルモードボタン５２０を押下しても、ボタン操作は無視され、制御装置１１０はマニュアルステイプルモードに遷移しない。
【００３８】
Ｓ７０３において、ＣＰＵ１２０は、受付手段として機能し、マニュアルステイプルモードボタン５２０が押下されたか否かを判定する。マニュアルステイプルモードボタン５２０が押下された場合にはＳ７０４へ進み、押下されていない場合には再度Ｓ７０１に戻る。Ｓ７０４において、ＣＰＵ１２０は、マニュアルステイプルモードボタン５２０が長押しされたか否かを判定する。長押しされた場合にはＳ７０５に進み、そうでない場合にはＳ７０６へ進む。長押しの判定は、例えば、マニュアルステイプルモードボタン５２０の押下を検出してから、解放されるまでの時間をタイマ等で計時し、所定の時間を超えれば長押しと判定する。
【００３９】
Ｓ７０５において、ＣＰＵ１２０は、Ｓ７０４でマニュアルステイプルモードボタン５２０が長押しされたと判定したため、図５に示すＲＡＭ１５０の複数束マニュアルステイプルモードフラグ８０００をＯＮにする。ここで、ＣＰＵ１２０は、移行手段として機能し、第２モードから第１モードへ復帰する際のパターンを第２パターンに決定している。したがって、長押しでない場合（短押しの場合）は、ＣＰＵ１２０は、第１パターンとして決定する。これは、マニュアルステイプルモードボタン５２０が長押しによって、ユーザが再度マニュアルステイプルモードボタン５２０を押下することによってマニュアルステイプルモードから抜ける上記第２パターンを選択したと判断したためである。
【００４０】
Ｓ７０６において、ＣＰＵ１２０は、図６に示すマニュアルステイプル中ダイアログ６０００を操作部１７０に表示し、Ｓ７０７に進む。Ｓ７０７において、ＣＰＵ１２０は、フィニッシャ部５００にある紙束検知センサ５２６と人感センサ５３０を起動し、Ｓ７０８に進む。Ｓ７０８において、ＣＰＵ１２０は、フィニッシャ部５００にある紙束検知センサ５２６で紙束検知する。紙束を検知できた場合にはＳ７０９に進み、紙束を検知できなかった場合にはＳ７１１に進む。
【００４１】
Ｓ７０９において、ＣＰＵ１２０は、ステイプルユニット５０６を動作させ、紙束に対してステイプル処理を実施し、Ｓ７１０に進む。Ｓ７１０において、ＣＰＵ１２０は、図５に示すＲＡＭ１５０に格納された複数束マニュアルステイプルモードフラグ８０００がＯＮであるか否かを判定する。ＯＮの場合にはＳ７０８に進み、ＯＦＦの場合にはＳ７１３に進む。
【００４２】
一方、Ｓ７０８で紙束を検知しなかった場合、Ｓ７１１において、ＣＰＵ１２０は、マニュアルステイプルモードボタン５２０が押下されたか否かを判定する。押下された場合には、マニュアルステイプルモードから抜けるためＳ７１３に進む。マニュアルステイプルモードが押下されていない場合にはＳ７１２に進む。Ｓ７１２において、ＣＰＵ１２０は、フィニッシャ部５００に備え付けられた人感センサ５３０によって、フィニッシャ部５００の前に人が存在するかを検知する。フィニッシャ部５００の前に人が存在する場合にはＳ７０８に進み、人が存在しない場合にはＳ７１３に進む。
【００４３】
Ｓ７１３において、ＣＰＵ１２０は、フィニッシャ部５００にある紙束検知センサ５２６と人感センサ５３０をＯＦＦにし、Ｓ７１４に進む。Ｓ７１４において、ＣＰＵ１２０は、図６に示すマニュアルステイプル中ダイアログ６０００を操作部１７０に非表示にし、Ｓ７１５に進む。Ｓ７０５において、ＣＰＵ１２０は、図５に示すＲＡＭ１５０に格納された複数束マニュアルステイプルモードフラグ８０００をＯＦＦに設定する。そしてＳ７０１に戻り、初期状態に遷移する。
【００４４】
以上説明したように、本実施形態に係る画像形成装置は、マニュアルステイプルモードから通常のプリントモードに戻るパターンとして、複数のパターンを用意し、好適に切り替える。例えば、ユーザが１つの紙束をマニュアルステイプルすると、直ちにプリントモードに戻る第１パターンと、ユーザが再度マニュアルステイプルモードボタン５２０を押下することによってプリントモードに戻る第２パターンとを有する。さらに、フィニッシャ部５００にある人感センサ５３０によって、フィニッシャ部５００から人が立ち去るとプリントモードに戻る第３のパターンを提供できる。これにより、ユーザの使い勝手の良いマニュアルステイプルモードとプリントモードの排他を実現できる。
【００４５】
＜その他の実施例＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2014115425.tif 000003
【図２】
2014115425.tif 000004
【図３】
2014115425.tif 000005
【図４】
2014115425.tif 000006
【図５】
2014115425.tif 000007
【図６】
2014115425.tif 000008
【図７】
2014115425.tif 000009